(57)【要約】【課題】火災現場等へ投げ入れて効率良く消火できる自動消火装置を提供する。【解決手段】球形状のボンベ１１の頂部に開閉弁と噴射口１３とを有し、開閉弁を押圧して消火剤を噴射する消火器１と、開閉弁の先端にスペーサー用のエアマット２４を介装して重錘を摺動可能に設けると共に重錘をバネで常時開閉弁側へ押圧する押圧作動器２と、一端をエアマットの所望の部位に接続した導火線３とを備え、導火線の燃焼位置がエアマットとの接続部位に達した時、エアマット内の空気を外部へ排出するように構成する。ボンベを収容可能な球形状の容器状体４を備え、容器状体はボンベを収容した状態で周方向へボンベと互に回転可能になるように消火器に装着して設ける。【選択図】図１
2015013088.tif 000002
【特許請求の範囲】
【請求項１】
略球形状に形成され、消火剤を封入したボンベの頂部に位置させる部位に開閉弁と噴射口とを有し、前記開閉弁を押圧することにより前記消火剤を噴射させるように構成した消火器と、
基端部を前記ボンベの前記頂部に固定して設けた案内用筒状部、この筒状部内に軸線方向へ摺動可能に収容して設けた押圧作動用の重錘、この重錘を前記ボンベ側へ常時押圧するバネ、及び前記開閉弁と前記重錘との間に介装して設け、前記重錘の前記ボンベ方向への動きを規制する体積可変性のスペーサーとを有する押圧作動器と、
一端を前記スペーサーの所望の部位に接続して設けた所望長さの導火線と、
前記消火器の前記ボンベを収容し得る大きさの略球形状に形成した容器状体とを備え、
前記容器状体は、前記消火器の前記ボンベを収容した状態で周方向へ前記ボンベと相互に回転可能になるように、前記消火器に装着して設けられ、
前記導火線の燃焼位置が前記スペーサーとの接続部位に達した時、前記スペーサーの体積を縮小して前記重錘の前記規制を解除させて前記バネの作用で前記重錘が摺動して前記開閉弁を押圧するように構成した
ことを特徴とする自動消火装置。
【請求項２】
前記容器状体は、前記容器状体の底部に位置させる部位の中央部に起き上がり用の重りを備えていることを特徴とする請求項１に記載の自動消火装置。
【請求項３】
前記スペーサーは概略浮き輪に形成されていると共に内部に空気が圧入されたエアマットで構成され、前記導火線は一端を前記エアマットの所望の部位に接続して設けてあり、前記導火線の燃焼位置が前記エアマットとの接続部位に達した時、前記エアマットの前記接続部位を開口させ、前記エアマット内の空気を外部へ排出させて前記エアマットの体積を縮小させるように構成したことを特徴とする請求項１記載の自動消火装置。
【請求項４】
前記エアマットはバルブを備え、前記導火線は一端を前記バルブに接続して設けてあり、前記導火線の燃焼位置が前記バルブに達した時、前記バルブを開いて前記エアマット内の空気を外部へ排出させて前記エアマットの体積を縮小させるように構成したことを特徴とする請求項３に記載の自動消火装置。
【請求項５】
前記スペーサーは良可燃性の発泡樹脂製の筒状体で構成され、前記導火線は一端を前記筒状体の所望の部位に接続して設けてあり、前記導火線の燃焼位置が前記筒状体との接続部位に達した時、前記筒状体を燃焼させて前記筒状体の体積を縮小させるように構成したことを特徴とする請求項１に記載の自動消火装置。
【発明の詳細な説明】
【技術分野】
【０００１】
本発明は自動消火装置に関する。さらに詳しくは導火線を備え、導火線に着火することにより消火剤を自動的に噴射して消火する自動消火装置に関する。本発明の自動消火装置は、例えば主に火災が発生した際に投げ入れて使用するのに適している。
【背景技術】
【０００２】
従来、自動消火装置として、導火線を備え、導火線に着火することにより消火剤を自動的に噴射させるように構成した自動消火装置が提案されている（例えば、特許文献１参照）。
【０００３】
以下、特許文献１の自動消火装置（先行消火装置）の構成等について概略的に説明する。
【０００４】
先行消火装置は、消火器と、押圧作動器と、導火線とを備える。
前記消火器は、消火剤を封入したボンベの先端部に開閉弁と噴射口とを有し、開閉弁を押圧することにより消火剤を噴射するように構成してある。
前記押圧作動器は、基端をボンベの先端部に固定して設けた案内枠体と、この案内枠体内に軸線方向へ摺動可能に収容して設けた重錘と、この重錘をボンベ側へ常時押圧するバネと、浮き輪状に形成されていると共に内部に空気が圧入され、開閉弁と重錘との間に介装して設けたエアマットとを備える。
導火線は、一端をエアマットの所定部に接続して設けてある。
導火線に着火することにより、エアマット内の空気を外部へ排出させるように構成され、エアマット内の空気の排出により、バネの作用で重錘が摺動して開閉弁を押圧するように構成されている。
【０００５】
先行消火装置は上記構成を具備し、主に自動車のエンジン収納部や厨房に設置して使用するものである。これにより、例えば自動車のエンジン収容部に設置して使用することにより、追突や衝突事故等でエンジン等から出火した際には消火剤を自動的に噴射して消火することができる。また、例えば厨房の適当部位に設置して使用することにより、例えば天ぷら鍋の油に火がついて燃え上がったときは、消火剤を自動的に噴射する。したがって、天ぷら作業中に調理現場から離れて無人状態になったときに鍋の油が燃え上がった場合等においても自動的に消火することができる。
【先行技術文献】
【特許文献】
【０００６】
【特許文献１】特開２００５−４６５７０号公報
【発明の概要】
【発明が解決しようとする課題】
【０００７】
先行消火装置は上述したように導火線に着火することにより、消火剤を自動的に噴射して消火することができる。しかし、先行消火装置は次のような点において問題を有している。
（１）自動車のエンジン収容部や厨房等に設置して使用する場合には有効的であるが、火災が発生している家屋等の建造物その他の火災現場等へ投げ入れて消火作業を行う際に使用する場合には適していない。
（２）消火器の噴射口から噴射される消火剤の噴射方向が一定の方向に限定されるので、消火範囲が狭くなる。
【０００８】
本発明は上記のような実情に鑑みてなされたもので、火災現場等へ投げ入れて使用するのに適していると共に消火剤の噴射方向を変位して消火範囲を拡大し得る自動消火装置を提供することを目的とするものである。
【課題を解決するための手段】
【０００９】
上記目的を達成するため、本発明のうち、１つの発明（第１の発明）は、自動消火装置であって、略球形状に形成され、消火剤を封入したボンベの頂部に位置させる部位に開閉弁と噴射口とを有し、前記開閉弁を押圧することにより前記消火剤を噴射させるように構成した消火器と、
基端部を前記ボンベの前記頂部に固定して設けた案内用筒状部、この筒状部内に軸線方向へ摺動可能に収容して設けた押圧作動用の重錘、この重錘を前記ボンベ側へ常時押圧するバネ、及び前記開閉弁と前記重錘との間に介装して設け、前記重錘の前記ボンベ方向への動きを規制する体積可変性のスペーサーとを有する押圧作動器と、
一端を前記スペーサーの所望の部位に接続して設けた所望長さの導火線と、
前記消火器の前記ボンベを収容し得る大きさの略球形状に形成した容器状体とを備え、
前記容器状体は、前記消火器の前記ボンベを収容した状態で周方向へ前記ボンベと相互に回転可能になるように、前記消火器に装着して設けられ、
前記導火線の燃焼位置が前記スペーサーとの接続部位に達した時、前記スペーサーの体積を縮小して前記重錘の前記規制を解除させて前記バネの作用で前記重錘が摺動して前記開閉弁を押圧するように構成したことを特徴とする。なお、本発明において、「体積を縮小」の「縮小」の用語は、「体積を小さくする」を意味する語として用いられている。
【００１０】
本発明の他の１つの発明（第２の発明）は、第１の発明の自動消火装置において、前記容器状体は、前記容器状体の底部に位置させる部位の中央部に起き上がり用の重りを備えていることを特徴とする。
【００１１】
本発明のさらに他の１つの発明（第３の発明）は、第１の発明の自動消火装置において、前記スペーサーは概略浮き輪に形成されていると共に内部に空気が圧入されたエアマットで構成され、前記導火線は一端を前記エアマットの所望の部位に接続して設けてあり、前記導火線の燃焼位置が前記エアマットとの接続部位に達した時、前記エアマットの前記接続部位を開口させ、前記エアマット内の空気を外部へ排出させて前記エアマットの体積を縮小させるように構成したことを特徴とする。
【００１２】
本発明のさらに他の１つの発明（第４の発明）は、第３の発明の自動消火装置において、前記エアマットはバルブを備え、前記導火線は一端を前記バルブに接続して設けてあり、前記導火線の燃焼位置が前記バルブに達した時、前記バルブを開いて前記エアマット内の空気を外部へ排出させて前記エアマットの体積を縮小させるように構成したことを特徴とする。
【００１３】
本発明のさらに他の１つの発明（第５の発明）は、第１の発明の自動消火装置において、前記スペーサーは良可燃性の発泡樹脂製の筒状体で構成され、前記導火線は一端を前記筒状体の所望の部位に接続して設けてあり、前記導火線の燃焼位置が前記筒状体との接続部位に達した時、前記筒状体を燃焼させて前記筒状体の体積を縮小させるように構成したことを特徴とする。
【発明の効果】
【００１４】
本発明によれば次のような作用効果を奏する。
（１）導火線に着火し、導火線の着火位置がスペーサーとの接続部位に達した時、スペーサーの体積を縮小して重錘の前記動きの規制を解除し、バネの作用で重錘を押圧して摺動（前進）し、この重錘により開閉弁を押圧するように構成したので、バネで押圧された重錘は、その自重も加味して勢い良くはずみをつけて移動（前進）し、開閉弁に強く衝当するので開閉弁の押圧操作を確実に行って消火剤を自動的に噴射して消火することができる。
（２）火災が発生している家屋等の建造物その他の火災現場等へ投げ入れて消火作業等を行う際に使用するに最適である。
（３）容器状体は、消火器のボンベを収容した状態で周方向へボンベと相互に回転可能になるように消火器に装着して設けてある。したがって、噴射口から噴射される消火剤の噴射圧力により、消火剤の噴射方向が回転しながら変位するので消火範囲を拡大することができる。
（4）第2の発明によれば、前記諸効果に加え、起き上がり用の重りの作用により、投げ入れた自動消火装置を円滑良好に起き上げることができる。したがって、消火作業が一層向上できる。
【図面の簡単な説明】
【００１５】
【図１】本発明の一実施形態の自動消火装置の構成を概略的に示す縦断面説明側面図である。
【図２】図１の自動消火装置の一部を切断し、その構成を概略的に示す横断面説明図である。
【図３】図３（ａ）は、前記自動消火装置に採用した押圧作動器の部分を拡大し、その構成を概略的に示す縦断面説明図、図3（ｂ）は作動状態を示す説明図である。
【図４】本発明の他の実施形態の自動消火装置の一部を切断し、その構成の要部を概略的に示す横断面説明図である。
【図５】本発明のさらに他の実施形態の自動消火装置の構成を概略的に示す縦断面説明図である。
【図６】図５の自動消火装置の作用を示す説明図である。
【図７】本発明の他の実施形態の自動消火装置の要部の一部の構成を概略的に示す図であって、同図（ａ）は縦断面説明図、同図（ｂ）は作用状態を示す説明図である。
【図８】図７の自動消火装置に採用した押圧作動器に用いたスペーサーの構成を概略的に示す説明斜視図である。
【発明を実施するための形態】
【００１６】
以下、図面を参照して本発明の自動消火装置の実施形態の一例について説明する。
【００１７】
図１ないし図３は本発明の一実施形態（実施形態1）の自動消火装置を示す。これらの図に示すように、本実施形態の自動消火装置１００は、消火器１と、押圧作動器２と、導火線３と、容器状体４とを備えている。
【００１８】
前記消火器１は、略球形状に形成され、消火剤１０（図３（ｂ）参照）を封入したボンベ１１の頂部（頂部に位置させる部位）に開閉弁１２と噴射口１３とを有し、開閉弁１２を押圧することにより噴射口１３からボンベ１１内の消火剤１０を噴射するように構成されている。
【００１９】
本発明の自動消火装置は火災現場等（図示せず）に投げ入れて使用するもので、前記装置（特にボンベ１１）の大きさ及び重量は上記を考慮して適当に決定する。前記装置の重量としては、例えば一般的な人間が例えば約７ないし約１５ｍ程度投てき可能な重量（例えば約０．７ないし約１．５ｋｇ程度）に形成できる。但し、上記範囲に限定するものではない。
また、ボンベ１１の大きさとしては、例えば直径約７〜約１５ｃｍ程度に形成できる。但し、上記範囲に限定するものではない。上記した点については後述する各実施形態においても同様である。
【００２０】
前記押圧作動器２は、基端（図１において下端）をボンベ１１の頂部に設けた蓋体１４等に溶接その他の手段で固定して設けた案内用筒状部２０を備える。前記筒状部２０の先端（図１において上端）には、蓋部材２１が溶接その他の手段で固定して設けてある。
【００２１】
また、前記押圧作動器２は、前記案内用筒状部２０内に軸線方向（ボンベ１１の開閉弁１２と接近・離反する方向）へ摺動可能に収容して設けた重錘２２と、この重錘２２をボンベ１１側、即ち、前記開閉弁１２側へ常時押圧するバネ２３及び体積可変性のスペーサー２４とを備える。
【００２２】
前記スペーサー２４は、開閉弁１２と重錘２２との間に介装して設け、重錘２２のボンベ方向への動き（移動）を規制するものである。本実施形態では、スペーサー２４としてエアマット２４ａを採用している。また、本実施形態ではバネ２３として、重錘２２と蓋部材２１との間に介装して設けたコイルスプリングを採用している。
【００２３】
前記エアマット２４ａは天然ゴムや合成ゴム等の弾性素材で概略浮き輪状に形成されていると共に内部に空気が圧入され、開閉弁１２と重錘２２との間に介装して設けてある。これにより、重錘２２はエアマット２４ａにより開閉弁１２方向への動きを規制されている。
【００２４】
実施形態１のエアマット２４ａはバルブ２５を備え、バルブ２５を開くことによりエアマット２４ａ内の空気を外部へ排出させるように構成してある。そして、エアマット２４ａ内の空気を排出させることにより、エアマットの体積を縮小して重錘の前記動きの規制を解除させ、バネ２３の押圧作用で重錘２２を摺動（前進）させ、開閉弁１２を押圧して噴射口１３より図３（ｂ）に示すように、ボンベ１１内の消火剤１０を噴射させるように構成してある。
【００２５】
前記導火線３は所望の長さに形成され、一端をエアマット２４ａの所望の部位に接続して設け、導火線３に着火することにより、導火線３の燃焼位置が前記エアマット２４ａとの接続部位に達した時、エアマット内の空気を外部へ排出させるように構成する。実施形態１では、導火線３の一端をバルブ２５に接続して設け、導火線３の燃焼位置がバルブ２５に達した時、バルブ２５を開いてエアマット２４内の空気を外部へ排出させるように構成してある。
【００２６】
上記により、導火線３に着火し、前記線３の燃焼位置がバルブ２５に達すると、バルブ２５は開かれ、図３（ｂ）に示すように、エアマット２４ａ内の空気を外部へ排出してバネの作用で重錘２２を押圧摺動し、この重錘により開閉弁を押圧して消火剤１０を噴射口１３から噴射して消火するように構成されている。
【００２７】
なお、実施形態１では、導火線３の一端をバルブ２５に接続して設けた例を開示したが、導火線３は一端をエアマット２４ａの適当部（所望部）に接続して設け、導火線３の燃焼位置がエアマットに達した時、エアマット２４ａの導火線３との接続部位を熱溶解する等により開口させ、エアマット内の空気を外部へ排出させる構成等を採用してもよい。要は導火線３に着火し、前記線３の燃焼位置がエアマットの所定部に達した時、エアマット内の空気を外部へ排出させるように構成すればよいものである。この点については後述する実施形態２及び３においても同様である。
【００２８】
前記容器状体４は前記ボンベ１１を収容し得る大きさの略球形状に形成されている。容器状体４は、金属その他の硬質の耐火性素材で構成されている。
【００２９】
実施形態１の容器状体４は、頂部に位置させる部位にボンベ１１の頂部に形成した口部１５に嵌合する嵌合孔４０を備える。実施形態１の容器状体４は球状体を中心から縦方向に２分割した一対の半球状体４１ａ，４１ｂを備え、両半球状体４１ａ，４１ｂをボンベ１１にそれぞれ嵌合し、図２に示すように接合部を溶接４２等で固定して構成されている。これにより、ボンベ１１は容器状体４内に収容され、この状態で容器状体４はボンベ１１と互に周方向へ回転可能になるように消火器１に装着されている。
【００３０】
上記のように、実施形態１の容器状体４はボンベ１１を収容した状態で周方向へボンベ１１と互に回転可能になるように消火器１に装着して設けてある。したがって、上記構成により、噴射口１３から消火剤１０が噴射されると、図２に矢印５で示すように、消火器１及び押圧作動器２は消火剤１０の噴射圧力により前記方向へ回転（回動）するので、消火剤１０の噴射方向が回転しながら変位する。そのため、消火範囲が拡大される。
【００３１】
実施形態１の自動消火装置１００は上記のように構成したもので、次に使用方法の一例について説明する。
【００３２】
実施形態１の自動消火装置は、使用する際には導火線３に着火した状態で火災が発生して家屋等の建造物（図示せず）その他の火災現場等へ投げ入れる。
【００３３】
上記のように投げ入れた自動消火装置は、導火線の燃焼位置がエアマットの所定部（図示ではバルブ２５）に達した時、エアマット内の空気を外部へ排出してバネの作用で重錘２２により開閉弁１２を押圧して消火剤１０を噴射口１３から噴射する。消火剤が噴射されると、消火剤の噴射圧力により消火器及び押圧作動器は上述した方向へ回転（回動）するので、消火剤の噴射方向が回転しながら変位する。したがって、消火範囲が拡大されて効率良く消火作業を行うことができる。
【００３４】
なお、上記場合において、導火線３に着火しないで火災現場等へ投げ入れてもよい。この場合でも、投げ入れた後に火災現場等の火によって導火線３に着火するので上記と同様に作用して消火することができる。この点については後述する各実施形態においても同様である。
【００３５】
図４は本発明の他の実施形態（実施形態２）の自動消火装置を示す。実施形態２の自動消火装置において、実施形態１で既に説明した構成と共通する構成や部材等については同一符号を付して説明を省略する。この点については後述する各実施形態においても同様である。
【００３６】
実施形態２の自動消火装置２００は実施形態１と同様の一対の半球状体４１ａ，４１ｂをボンベ１１にそれぞれ嵌合し、接合部をボルトナット４３やビス等で固定して構成されている。他の構成は実施形態１と同様である。
【００３７】
実施形態２の自動消火装置は上記のように構成し、実施形態１と同様に使用するものである。これにより、実施形態１と同様の作用効果を発揮する。
【００３８】
図５及び図６は本発明のさらに他の実施形態（実施形態３）の自動消火装置を示す。
【００３９】
実施形態３の自動消火装置３００は、前記容器状体４の底部に位置させる部位の中央部に起き上がり用の重り６を溶接等により固定して設けたことを特徴とするものである。実施形態３では、重り６を２分割し、容器状体４の前記部位の内側部に溶接その他の手段で固定して設けた例が開示されている。
【００４０】
前記重り６の重量としては、ボンベ１１を容器状体４に収容した状態で消火器１、押圧作動器２及び容器状体４を全体的に起き上がらせ得る重量のものを採用する。これにより、消火装置３００は図６に示すように、前記重り６の作用により常に起き上がり小法師（おきあがりこぼし）のように起立した状態になるように構成してある。他の構成は実施形態１又は２と同様である。
【００４１】
実施形態３の自動消火装置３００は上記のように構成し、実施形態１と同様に使用するものである。実施形態３によれば、投げ入れた自動消火装置は重り６の作用により円滑良好に起立する。したがって、消火作業を一層向上することができる。
【００４２】
図７及び図８は本発明の他の実施形態（実施形態４）の自動消火装置を示す。実施形態２の自動消火装置４００は、スペーサーの構成に特徴がある。
【００４３】
実施形態４のスペーサー７０は、発泡スチロールその他の良可燃性の発泡樹脂製の筒状体７１で構成されている。実施形態４の筒状体７１は、図８に詳細に示すように、円柱体７２の中心部に軸方向へ貫通した貫通孔７３を設けて略円筒状に形成されている。
【００４４】
また、実施形態４では、筒状体７１の燃焼性を良好にするため、図８に示すように、筒状体７１の外周面等（図示では外周面及び上下面）に火薬粉末７４が塗布等により付着して設けてある。
【００４５】
前記導火線３は筒状体７１の所望の部位に接続して設けてある。また、実施形態４では、案内用筒状部２０の所望の部位に空気流通孔７５を設け、筒状体７１の燃焼性を良好にするように構成してある。
【００４６】
前記筒状体７１で構成したスペーサー７０は実施形態１のスペーサー２４と同様に開閉弁１２と重錘２２との間に介装して設けてある。これにより、導火線３の燃焼位置が筒状体７１との接触部位に達した時、筒状体７１を燃焼させ、その結果、筒状体７１の体積を縮小（体積を小さくする）して重錘２２の前記動きの規制を解除させ、バネ２３の押圧作用で重錘２２を摺動（前進）させ、開閉弁１２を押圧してボンベ１１内の消火剤を噴射させるように構成してある。他の構成は実施形態１ないし３と同様である。
【００４７】
実施形態４の自動消火装置は上記のように構成し、実施形態１と同様に使用するもので、実施形態１と同様の作用効果を奏する。
【００４８】
なお、上述した実施形態では、スペーサーとして、エアマット２４ａ（実施形態１）及び発泡樹脂製の筒状体７１（実施形態４）で構成したものを開示したが、前記以外の構成のスペーサーを採用することもできる。要は、開閉弁と重錘との間に介装して設け、導火線の燃焼位置がスペーサーとの接触部位に達した時、スペーサーの体積を縮小して重錘のボンベ方向への動きの規制を解除させるように構成すれば良いものである。
【００４９】
また、上記した実施形態の自動消火装置は一例として開示したもので、本発明は上記実施形態に限定されるものではなく、特許請求の範囲に記載の技術思想を越脱しない範囲内において任意に変更可能なものである。
【符号の説明】
【００５０】
１      消火器
２      押圧作動器
３      導火線
４      容器状体
６      重り
１０    消火剤
１１    ボンベ
１２    開閉弁
１３    噴射口
２２    重錘
２３    バネ
２４    スペーサー
２４ａ  エアマット
２５    バルブ
【図１】
2015013088.tif 000003
【図２】
2015013088.tif 000004
【図３】
2015013088.tif 000005
【図４】
2015013088.tif 000006
【図５】
2015013088.tif 000007
【図６】
2015013088.tif 000008
【図７】
2015013088.tif 000009
【図８】
2015013088.tif 000010